(57)【要約】【課題】コマーシャルスキップを安価かつ良好に行う。【解決手段】記録時には、チューナ１０５から出力される所定番組のコンテンツデータ（ビデオデータ及びオーディオデータ）１０６をＨＤＤ１０７で記録する。再生時には、ＨＤＤ１０７で再生された所定番組のコンテンツデータをテレビモニタ１０８に供給する。スキップ時間テーブル１０１ｓは、各放送チャネル毎に、放送曜日および放送時刻と対応させてスキップ時間を記憶している。録画状態または再生状態で、スキップキー１０２ｆが操作されるとき、ＣＰＵ１０１ａは、スキップ時間テーブル１０１ｓに、当該所定番組に係る放送チャネル、放送曜日、放送時刻に対応したスキップ時間があるとき、当該所定番組の記録または再生位置を、そのスキップ時間だけスキップするように、ＨＤＤ１０７を制御する。【選択図】        図１
2006319790.tif 000002
【特許請求の範囲】
【請求項１】
放送番組のコンテンツデータが記録された記録媒体より所定番組のコンテンツデータを再生すると共に、該所定番組の放送チャネル、放送曜日および放送時刻の情報を含む番組情報を出力する再生部と、
各放送チャネル毎に放送曜日および放送時刻と対応させてスキップ時間が記憶されるスキップ時間テーブルと、
上記再生部で再生される上記コンテンツデータの再生位置をスキップさせるためのスキップキーと、
上記再生部の動作を制御する制御部とを備え、
上記制御部は、上記再生部で所定番組のコンテンツデータが再生されている状態で、上記スキップキーが操作された場合、上記スキップ時間テーブルに、上記所定番組の放送チャネル、放送曜日および放送時刻に対応したスキップ時間が記憶されているときは、上記再生部における上記所定番組のコンテンツデータの再生位置を上記スキップ時間だけスキップさせる
ことを特徴とするコンテンツデータ再生装置。
【請求項２】
上記制御部は、上記再生部で所定番組のコンテンツデータが再生されている状態で、上記スキップキーが操作された場合、上記スキップ時間テーブルに上記所定番組の放送チャネル、放送曜日および放送時刻に対応したスキップ時間が記憶されていないときは、該スキップ時間テーブルに、上記所定番組の放送チャネル、放送曜日および放送時刻に対応したスキップ時間として、上記スキップキーの操作回数に応じた時間を書き込む
ことを特徴とする請求項１に記載のコンテンツデータ再生装置。
【請求項３】
上記制御部は、上記再生部で所定番組のコンテンツデータが再生されている状態で、上記スキップキーが操作された場合、修正モードにあるときは、上記スキップ時間テーブルに、上記所定番組の放送チャネル、放送曜日および放送時刻に対応したスキップ時間として、上記スキップキーの操作回数に応じた時間を書き込む
ことを特徴とする請求項１に記載のコンテンツデータ再生装置。
【請求項４】
放送番組のコンテンツデータが記録された記録媒体より所定番組のコンテンツデータを再生している状態で上記コンテンツデータの再生位置をスキップさせる方法であって、
スキップキーが操作されるとき、各放送チャネル毎に放送曜日および放送時刻と対応させてスキップ時間が記憶されるスキップ時間テーブルに、上記所定番組の放送チャネル、放送曜日および放送時刻に対応したスキップ時間が記憶されているか否かを判定する判定ステップと、
上記判定ステップで記憶されていると判定されるとき、上記所定番組のコンテンツデータの再生位置を上記スキップ時間だけスキップさせる制御ステップと
を備えることを特徴とするコンテンツデータ再生スキップ方法。
【請求項５】
放送番組のコンテンツデータが記録された記録媒体より所定番組のコンテンツデータを再生すると共に、該所定番組の放送チャネル、放送曜日および放送時刻の情報を含む番組情報を出力する再生部と、
各放送チャネル毎に放送曜日および放送時刻と対応させてスキップ時間が記憶されるスキップ時間テーブルと、
上記再生部で再生される上記コンテンツデータの再生位置を早送りするための早送りキーと、
上記再生部で再生される上記コンテンツデータの再生位置を巻き戻すための巻き戻しキーと、
上記再生部で再生される上記コンテンツデータの再生位置をスキップさせるためのスキップキーと、
上記再生部の動作を制御する制御部とを備え、
上記制御部は、上記再生部で所定番組のコンテンツデータが再生されている状態で、上記各キーのいずれかが操作された場合、上記スキップ時間テーブルに、上記所定番組の放送チャネル、放送曜日および放送時刻に対応したスキップ時間が記憶されているときは、上記再生部における上記所定番組のコンテンツデータの再生位置を上記スキップ時間だけスキップさせる
ことを特徴とするコンテンツデータ再生装置。
【請求項６】
上記制御部は、上記再生部で所定番組のコンテンツデータが再生されている状態で、上記各キーのいずれかが操作された場合、上記スキップ時間テーブルに、上記所定番組の放送チャネル、放送曜日および放送時刻に対応したスキップ時間が記憶されていないときは、上記スキップ時間テーブルに、上記所定番組の放送チャネル、放送曜日および放送時刻に対応したスキップ時間として、上記各キーのいずれかが操作された際の再生位置から上記各キーの操作により最終的に変化した後の再生位置までの時間を書き込む
ことを特徴とする請求項５に記載のコンテンツデータ再生装置。
【請求項７】
上記制御部は、上記再生部で所定番組のコンテンツデータが再生されている状態で、上記各キーのいずれかが操作された場合、修正モードにあるときは、上記スキップ時間テーブルに、上記所定番組の放送チャネル、放送曜日および放送時刻に対応したスキップ時間として、上記各キーのいずれかが操作された際の再生位置から上記各キーの操作により最終的に変化した後の再生位置までの時間を書き込む
ことを特徴とする請求項５に記載のコンテンツデータ再生装置。
【請求項８】
放送番組のコンテンツデータが記録された記録媒体より所定番組のコンテンツデータを再生している状態で上記コンテンツデータの再生位置をスキップさせる方法であって、
スキップキー、早送りキーおよび巻き戻しキーのいずれかが操作されるとき、各放送チャネル毎に放送曜日および放送時刻と対応させてスキップ時間が記憶されるスキップ時間テーブルに、上記所定番組の放送チャネル、放送曜日および放送時刻に対応したスキップ時間が記憶されているか否かを判定する判定ステップと、
上記判定ステップで記憶されていると判定されるとき、上記所定番組のコンテンツデータの再生位置を上記スキップ時間だけスキップさせる制御ステップと
を備えることを特徴とするコンテンツデータ再生スキップ方法。
【請求項９】
放送番組のコンテンツデータを記録媒体に記録する記録部と、
各放送チャネル毎に放送曜日および放送時刻と対応させてスキップ時間が記憶されるスキップ時間テーブルと、
上記記録部における上記放送番組のコンテンツデータの記録をスキップさせるためのスキップキーと、
上記記録部の動作を制御する制御部とを備え、
上記制御部は、上記記録部で所定番組のコンテンツデータが記録されている状態で、上記スキップキーが操作された場合、上記スキップ時間テーブルに、上記所定番組の放送チャネル、放送曜日および放送時刻に対応したスキップ時間が記憶されているときは、上記記録部における上記所定番組のコンテンツデータの記録を上記スキップ時間だけスキップさせる
ことを特徴とするコンテンツデータ記録装置。
【請求項１０】
上記制御部は、上記記録部で所定番組のコンテンツデータが記録されている状態で、上記スキップキーが操作された場合、上記スキップ時間テーブルに、上記所定番組の放送チャネル、放送曜日および放送時刻に対応したスキップ時間が記憶されていないときは、上記スキップ時間テーブルに、上記所定番組の放送チャネル、放送曜日および放送時刻に対応したスキップ時間として、上記スキップキーの操作回数に応じた時間を書き込む
ことを特徴とする請求項９に記載のコンテンツデータ記録装置。
【請求項１１】
上記制御部は、上記記録部で所定番組のコンテンツデータが記録されている状態で、上記スキップキーが操作された場合、修正モードにあるときは、上記スキップ時間テーブルに、上記所定番組の放送チャネル、放送曜日および放送時刻に対応したスキップ時間として、上記スキップキーの操作回数に応じた時間を書き込む
ことを特徴とする請求項９に記載のコンテンツデータ記録装置。
【請求項１２】
放送番組のコンテンツデータを記録媒体に記録している状態で、上記コンテンツデータの記録をスキップさせる方法であって、
スキップキーが操作されるとき、各放送チャネル毎に放送曜日および放送時刻と対応させてスキップ時間が記憶されるスキップ時間テーブルに、上記所定番組の放送チャネル、放送曜日および放送時刻に対応したスキップ時間が記憶されているか否かを判定する判定ステップと、
上記判定ステップで記憶されていると判定されるとき、上記所定番組のコンテンツデータの記録を上記スキップ時間だけスキップさせる制御ステップと
を備えることを特徴とするコンテンツデータ記録スキップ方法。
【発明の詳細な説明】
【技術分野】
【０００１】
この発明は、放送番組のコンテンツデータを取り扱うコンテンツデータの再生装置および再生スキップ方法、並びにコンテンツデータの記録装置および記録スキップ方法に関する。詳しくは、この発明は、放送番組のコンテンツデータが記録された記録媒体より所定番組のコンテンツデータを再生している状態で、あるいは放送番組のコンテンツデータである所定番組のコンテンツデータを記録媒体に記録している状態で、スキップキー等が操作される場合、スキップ時間テーブルに記憶されている、当該所定番組の放送チャネル、放送曜日および放送時刻に対応したスキップ時間だけ、当該所定番組のコンテンツデータの再生位置あるいは記録をスキップさせることによって、例えばコマーシャルのスキップを安価かつ良好に行い得るようにしたコンテンツデータ再生装置、コンテンツデータ記録装置等に係るものである。
【背景技術】
【０００２】
従来、放送番組のコンテンツデータを再生している状態で、スキップキーの操作に基づいて、例えばコマーシャルをスキップさせる記録再生装置が提案されている。例えば、スキップキーの一操作で３０秒分だけ再生位置を早送りした後、自動的に再生状態となるようにした記録再生装置がある（特許文献１参照）。また例えば、スキップキーの操作で早送りを開始し、その後にコマーシャルの終了時のブラックフレームを検出して自動的に再生状態となるようにした記録再生装置がある（特許文献２参照）。
【０００３】
【特許文献１】特開２００５−１００５１０号公報
【特許文献２】特開平９−３０７８４１号公報
【発明の開示】
【発明が解決しようとする課題】
【０００４】
上述したようにスキップキーの一操作で３０秒分だけ再生位置を早送りした後、自動的に再生状態となるようにした記録再生装置においては、以下のような問題点がある。すなわち、通常２分間程度あるコマーシャルに適用する際には、スキップキーを４回操作する必要がある。また、コマーシャルの期間は減速として３０秒単位であるが、１０秒、１５秒といった原則からはずれたコマーシャルがあった場合には、当該コマーシャルを良好にスキップできない。
【０００５】
また、上述したようにスキップキーの操作で早送りを開始し、その後にコマーシャルの終了時のブラックフレームを検出して自動的に再生状態となるようにした記録再生装置においては、以下のような問題点がある。すなわち、コマーシャルのスキップ精度がブラックフレームの検出精度によるものとなり、またブラックフレームを検出する検出部を用意しなければならず、高価となる。
【０００６】
なお、放送番組のコンテンツデータを記録している状態で、スキップキーの操作に基づいて、例えばコマーシャル部分で記録をスキップさせる場合にも、同様の問題点がある。
【０００７】
この発明の目的は、例えばコマーシャルのスキップを安価かつ良好に行い得るようにすることにある。
【課題を解決するための手段】
【０００８】
この発明の概念は、
放送番組のコンテンツデータが記録された記録媒体より所定番組のコンテンツデータを再生すると共に、該所定番組の放送チャネル、放送曜日および放送時刻の情報を含む番組情報を出力する再生部と、
各放送チャネル毎に放送曜日および放送時刻と対応させてスキップ時間が記憶されるスキップ時間テーブルと、
上記再生部で再生される上記コンテンツデータの再生位置をスキップさせるためのスキップキーと、
上記再生部の動作を制御する制御部とを備え、
上記制御部は、上記再生部で所定番組のコンテンツデータが再生されている状態で、上記スキップキーが操作された場合、上記スキップ時間テーブルに、上記所定番組の放送チャネル、放送曜日および放送時刻に対応したスキップ時間が記憶されているときは、上記再生部における上記所定番組のコンテンツデータの再生位置を上記スキップ時間だけスキップさせる
コンテンツデータ再生装置にある。
【０００９】
この発明においては、放送番組のコンテンツデータが記録された記録媒体より所定番組のコンテンツデータが再生される。また、この所定番組のコンテンツデータが再生される際に、この所定番組の放送チャネル、放送曜日および放送時刻の情報を含む番組情報も出力される。また、スキップ時間テーブルが用意されている。このスキップ時間テーブルには、各放送チャネル毎に、放送曜日および放送時刻と対応させてスキップ時間が記憶されている。
【００１０】
所定番組のコンテンツデータが再生されている状態で、スキップキーが操作された場合、スキップ時間テーブルに、当該所定番組の放送チャネル、放送曜日および放送時刻に対応したスキップ時間が記憶されているか判定される。スキップ時間が記憶されている場合、所定番組のコンテンツデータの再生位置がスキップ時間だけスキップされる。
【００１１】
このように、スキップキーが操作された場合、スキップ時間テーブルに記憶されているスキップ時間だけ再生位置がスキップされるものであり、例えばスキップ時間テーブルに記憶されているスキップ時間を当該所定番組中のコマーシャル時間に対応させておけば、スキップキーの一操作で当該コマーシャルのスキップが精度よく行われ、またブラックフレーム等を検出してスキップ時間を制御するものでなく、スキップ精度が検出精度に影響されるということがなく、しかもその検出部を必要としない分だけ安価に構成できる。
【００１２】
例えば、スキップ時間テーブルに、当該所定番組の放送チャネル、放送曜日および放送時刻に対応したスキップ時間が記憶されていない場合、スキップキーの操作に応じて再生位置がスキップされる。この場合、スキップ時間テーブルに、所定番組の放送チャネル、放送曜日および放送時刻に対応したスキップ時間として、スキップキーの操作回数に応じた時間が書き込まれる。例えば、スキップキーの一操作で所定時間だけスキップされる場合、この所定時間を操作回数倍した時間が書き込まれる。これにより、スキップ時間テーブルを完成させていくことができる。
【００１３】
また例えば、修正モードにあるときは、スキップ時間テーブルに、所定番組の放送チャネル、放送曜日および放送時刻に対応したスキップ時間として、スキップキーの操作回数に応じた時間が書き込まれる。これにより、スキップ時間テーブルに、所定番組の放送チャネル、放送曜日および放送時刻に対応したスキップ時間が既に存在する場合、その値を修正することが可能となる。
【００１４】
また、この発明の概念は、
放送番組のコンテンツデータが記録された記録媒体より所定番組のコンテンツデータを再生すると共に、該所定番組の放送チャネル、放送曜日および放送時刻の情報を含む番組情報を出力する再生部と、
各放送チャネル毎に放送曜日および放送時刻と対応させてスキップ時間が記憶されるスキップ時間テーブルと、
上記再生部で再生される上記コンテンツデータの再生位置を早送りするための早送りキーと、
上記再生部で再生される上記コンテンツデータの再生位置を巻き戻すための巻き戻しキーと、
上記再生部で再生される上記コンテンツデータの再生位置をスキップさせるためのスキップキーと、
上記再生部の動作を制御する制御部とを備え、
上記制御部は、上記再生部で所定番組のコンテンツデータが再生されている状態で、上記各キーのいずれかが操作された場合、上記スキップ時間テーブルに、上記所定番組の放送チャネル、放送曜日および放送時刻に対応したスキップ時間が記憶されているときは、上記再生部における上記所定番組のコンテンツデータの再生位置を上記スキップ時間だけスキップさせる
コンテンツデータ再生装置にある。
【００１５】
この発明においては、放送番組のコンテンツデータが記録された記録媒体より所定番組のコンテンツデータが再生される。また、この所定番組のコンテンツデータが再生される際に、この所定番組の放送チャネル、放送曜日および放送時刻の情報を含む番組情報も出力される。また、スキップ時間テーブルが用意されている。このスキップ時間テーブルには、各放送チャネル毎に、放送曜日および放送時刻と対応させてスキップ時間が記憶されている。
【００１６】
所定番組のコンテンツデータが再生されている状態で、早送りキー、巻き戻しキーおよびスキップキーのいずれかが操作された場合、スキップ時間テーブルに、当該所定番組の放送チャネル、放送曜日および放送時刻に対応したスキップ時間が記憶されているか判定される。そして、このスキップ時間が記憶されている場合、所定番組のコンテンツデータの再生位置がスキップ時間分だけスキップされる。
【００１７】
このように、早送りキー、巻き戻しキーおよびスキップキーのいずれかが操作された場合、スキップ時間テーブルに記憶されているスキップ時間だけ再生位置がスキップされるものであり、例えばスキップ時間テーブルに記憶されているスキップ時間を当該所定番組中のコマーシャル時間に対応させておけば、早送りキー、巻き戻しキーおよびスキップキーのいずれかの一操作で当該コマーシャルのスキップが精度よく行われ、またブラックフレーム等を検出してスキップ時間を制御するものでなく、スキップ精度が検出精度に影響されるということがなく、しかもその検出部を必要としない分だけ安価に構成できる。
【００１８】
例えば、スキップ時間テーブルに、当該所定番組の放送チャネル、放送曜日および放送時刻に対応したスキップ時間が記憶されていない場合、各キーの操作に応じて再生位置が変化する。スキップキーが操作された場合には、再生位置がスキップされる。早送りキーが操作された場合には、再生位置が早送りされる。巻き戻しキーが操作された場合には、再生位置が巻き戻される。
【００１９】
この場合、スキップ時間テーブルに、所定番組の放送チャネル、放送曜日および放送時刻に対応したスキップ時間として、キー操作が開始された際の再生位置から各キーの操作により最終的に変化した後の再生位置までの時間が書き込まれる。これにより、スキップ時間テーブルを完成させていくことができる。この場合、早送りキーおよび巻き戻しキーを操作することで、スキップキーだけを用いる場合に比べて、スキップ時間テーブルに書き込むスキップ時間を細かく設定できる。
【００２０】
また例えば、修正モードにあるときは、スキップ時間テーブルに、所定番組の放送チャネル、放送曜日および放送時刻に対応したスキップ時間として、キー操作が開始された際の再生位置から各キーの操作により最終的に変化した後の再生位置までの時間が書き込まれる。これにより、スキップ時間テーブルに、所定番組の放送チャネル、放送曜日および放送時刻に対応したスキップ時間が既に存在する場合に、その値を修正することが可能となる。
【００２１】
また、この発明の概念は、
放送番組のコンテンツデータを記録媒体に記録する記録部と、
各放送チャネル毎に放送曜日および放送時刻と対応させてスキップ時間が記憶されるスキップ時間テーブルと、
上記記録部における上記放送番組のコンテンツデータの記録をスキップさせるためのスキップキーと、
上記記録部の動作を制御する制御部とを備え、
上記制御部は、上記記録部で所定番組のコンテンツデータが記録されている状態で、上記スキップキーが操作された場合、上記スキップ時間テーブルに、上記所定番組の放送チャネル、放送曜日および放送時刻に対応したスキップ時間が記憶されているときは、上記記録部における上記所定番組のコンテンツデータの記録を上記スキップ時間だけスキップさせる
コンテンツデータ記録装置にある。
【００２２】
この発明においては、記録媒体に所定番組のコンテンツデータが記録される。また、スキップ時間テーブルが用意されている。このスキップ時間テーブルには、各放送チャネル毎に、放送曜日および放送時刻と対応させてスキップ時間が記憶されている。
【００２３】
所定番組のコンテンツデータが記憶されている状態で、スキップキーが操作された場合、スキップ時間テーブルに、当該所定番組の放送チャネル、放送曜日および放送時刻に対応したスキップ時間が記憶されているか判定される。そして、このスキップ時間が記憶されている場合、所定番組のコンテンツデータの記録がスキップ時間だけスキップされる。
【００２４】
このように、スキップキーが操作された場合、スキップ時間テーブルに記憶されているスキップ時間だけ記録がスキップされるものであり、例えばスキップ時間テーブルに記憶されているスキップ時間を当該所定番組中のコマーシャル時間に対応させておけば、スキップキーの一操作で当該コマーシャルのスキップが精度よく行われ、またブラックフレーム等を検出してスキップ時間を制御するものでなく、スキップ精度が検出精度に影響されるということがなく、しかもその検出部を必要としない分だけ安価に構成できる。
【００２５】
例えば、スキップ時間テーブルに、当該所定番組の放送チャネル、放送曜日および放送時刻に対応したスキップ時間が記憶されていない場合、スキップキーの操作に応じて記録がスキップされる。この場合、スキップ時間テーブルに、所定番組の放送チャネル、放送曜日および放送時刻に対応したスキップ時間として、スキップキーの操作回数に応じた時間が書き込まれる。例えば、スキップキーの一操作で所定時間だけスキップされる場合、この所定時間を操作回数倍した時間が書き込まれる。これにより、スキップ時間テーブルを完成させていくことができる。
【００２６】
また例えば、修正モードにあるときは、スキップ時間テーブルに、所定番組の放送チャネル、放送曜日および放送時刻に対応したスキップ時間として、スキップキーの操作回数に応じた時間が書き込まれる。これにより、スキップ時間テーブルに、所定番組の放送チャネル、放送曜日および放送時刻に対応したスキップ時間が既に存在する場合に、その値を修正することが可能となる。
【発明の効果】
【００２７】
この発明によれば、放送番組のコンテンツデータが記録された記録媒体より所定番組のコンテンツデータを再生している状態で、あるいは放送番組のコンテンツデータである所定番組のコンテンツデータを記録媒体に記録している状態で、スキップキー等が操作される場合、スキップ時間テーブルに記憶されている、当該所定番組の放送チャネル、放送曜日および放送時刻に対応したスキップ時間だけ、当該所定番組のコンテンツデータの再生位置あるいは記録をスキップさせるものであり、例えばコマーシャルのスキップを安価かつ良好に行うことができる。
【発明を実施するための最良の形態】
【００２８】
以下、図面を参照しながら、この発明の実施の形態について説明する。図１は、実施の形態としての、放送番組のコンテンツデータ（ビデオデータ、オーディオデータ）の記録再生を行う記録再生装置１００の構成を示している。
【００２９】
この記録再生装置１００は、装置全体の動作を制御する制御部１０１と、この制御部１０１に接続されたユーザインタフェースとしての操作部１０２および表示部１０３とを有している。この制御部１０１は、ＣＰＵ(Central Processing Unit)１０１ａ、ＲＯＭ(read only memory)１０１ｂ、ＲＡＭ(random access memory)１０１ｃ、不揮発性メモリ１０１ｄ、時計回路１０１ｅを含んでいる。ＣＰＵ１０１ａは、全てのソフトウェア処理、ハードウェア制御を行う。ＲＯＭ１０１ｂは、ＣＰＵ１０１ａの動作を制御するための制御プログラム等を格納している。ＲＡＭ１０１ｃは、ＣＰＵ１０１ａのワーキングエリア等として機能する。
【００３０】
ＣＰＵ１０１ａは、ＲＯＭ１０１ｂに格納されている制御プログラムを必要に応じて読み出し、読み出した制御プログラムをＲＡＭ１０１ｃに転送して展開する。そして、このＣＰＵ１０１ａは、ＲＡＭ１０１ｃに展開された制御プログラムを読み出して実行することで、記録再生装置１００の各部を制御する。
【００３１】
不揮発性メモリ１０１ｄは、スキップ時間テーブル１０１ｓを記憶する。時計回路１０１ｅは、日時の情報を発生する。スキップ時間テーブル１０１ｓには、各放送チャネル毎に、放送曜日および放送時刻と対応させてスキップ時間が記憶される。このスキップ時間は、コンテンツデータが記録されている状態では記録をスキップ（停止）させる時間として用いられ、コンテンツデータが再生されている状態では再生位置をスキップさせる時間として用いられる。
【００３２】
図２は、所定の放送チャネルにおけるスキップ時間テーブル１０１ｓの一例を示している。この例では、単位時間が１時間となっているが、その他の単位時間、例えば１５分、あるいは３０分等であってもよい。また、この例では、スキップ時間が記憶されていない放送曜日および放送時刻の部分はハッチングを施して示しているが、この部分には、後述するように、記録時または再生時に、スキップキー１０２ｆを操作することで、スキップ時間を記憶できる。また、スキップ時間が既に記憶されている放送曜日および放送時刻の部分であっても、修正モードでスキップキー１０２ｆが操作される場合には、その値の修正を行うことができる。
【００３３】
操作部１１１は、ユーザが放送チャネルを選択するための操作キー、ユーザが記録再生を操作するための、巻き戻しキー１０２ａ、再生キー１０２ｂ、早送りキー１０２ｃ、停止キー１０２ｄ、録画（記録）キー１０２ｅ、スキップキー１０２ｆ等、種々の操作キーを備えている。スキップキー１０２ｆは、記録時には記録のスキップを指示し、再生時には再生位置のスキップを指示するために使用される。表示部１０３は、ＬＣＤ(Liquid Crystal Display)、ＰＤＰ(Plasma Display Panel)などの表示素子により構成されている。
【００３４】
また、記録再生装置１００は、受信アンテナ１０４と、チューナ１０５と、信号処理部１０６と、ＨＤＤ(Hard Disk Drive)１０７と、テレビモニタ１０８とを有している。チューナ１０５は、受信アンテナ１０４で受信された放送信号から、選択された放送チャネルにおける所定番組のコンテンツデータ（ビデオデータおよびオーディオデータ）を取得する。ＨＤＤ１０７は、記憶媒体としてハードディスクを備えており、このハードディスクに所定番組のコンテンツデータを記録再生する。ここで、ＨＤＤ１０７は、記録部および再生部を構成している。
【００３５】
信号処理部１０６は、チューナ１０５で取得されたコンテンツデータを処理する。例えば、記録時には、所定番組のコンテンツデータに対して、誤り訂正符号化、記録変調符号化等の処理を行って記録データを生成し、この記録データをＨＤＤ１０７に供給する。また例えば、再生時には、ＨＤＤ１０７からの所定番組の再生データに対して復号化の処理を行って、当該所定番組のコンテンツデータを取得してテレビモニタ１０８に供給する。
【００３６】
なお、このＨＤＤ１０７に所定番組のコンテンツデータが記録される場合、この所定番組の放送チャネルおよび日時の情報を含む番組情報が、当該所定番組のコンテンツデータに対応して記録される。このようにＨＤＤ１０７で記録される当該所定番組の放送チャネルおよび日時の情報は、ＨＤＤ１０７から当該所定番組のコンテンツデータが再生される際に再生され、当該ＨＤＤ１０７から出力される。
【００３７】
次に、図１に示す記録再生装置１００の動作を説明する。受信アンテナ１０４で受信された放送信号はチューナ１０５に供給される。チューナ１０５では、ユーザが操作部１０２を操作することで選択された放送チャネルにおける所定番組のコンテンツデータ（ビデオデータおよびオーディオデータ）が得られる。この所定番組のコンテンツデータは、信号処理部１０６を介してテレビモニタ１０８に供給される。これにより、テレビモニタ１０８では、所定番組のコンテンツデータによる画像が表示され、音声が出力される。
【００３８】
この状態でユーザが操作部１０２の録画キー１０２ｅを操作した場合には、信号処理部１０６で、所定番組のコンテンツデータに対して、誤り訂正符号化、記録変調符号化等の処理が行われ、記録データが得られる。そして、この記録データがＨＤＤ１０７に供給されて記録される。この場合、制御部１０１から放送チャネルおよび放送日時の情報がＨＤＤ１０７に供給され、当該所定番組のコンテンツデータに対応して記録される。
【００３９】
また、ユーザが操作部１０２の再生キー１０２ｂを操作した場合には、ＨＤＤ１０７から所定番組の再生データが得られる。この再生データは信号処理部１０６に供給される。この信号処理部１０６では、この再生データに対して復号化の処理が行われ、当該所定番組のコンテンツデータが得られる。この所定番組のコンテンツデータは、テレビモニタ１０８に供給される。これにより、テレビモニタ１０８では、再生された所定番組のコンテンツデータによる画像が表示され、音声が出力される。
【００４０】
なお、このようにＨＤＤ１０７から所定番組のコンテンツデータが再生される場合、ＨＤＤ１０７に記録されている当該所定番組の放送チャネルおよび日時の情報が再生される。そして、この放送チャネルおよび日時の情報は制御部１０１に供給され、後述するようにスキップキー１０２ｆが操作される際に利用される。
【００４１】
ここで、所定番組のコンテンツデータがＨＤＤ１０７で記録されている状態（録画状態）でスキップキー１０２ｆが操作されたときの、ＣＰＵ１０１ａの制御動作を、図３のフローチャートを用いて説明する。
【００４２】
ステップＳＴ１の録画状態にあるとき、ステップＳＴ２で、スキップキー１０２ｆが操作されたか否かを判定する。スキップキー１０２ｆが操作されたときは、ステップＳＴ３で、スキップキー１０２ｆの操作時における、録画チャネルおよび録画日時の情報を取得する。ここで、録画チャネルはスキップキー１０２ｆの操作時に記録されている所定番組のコンテンツデータに係る放送チャネルを意味し、録画日時はスキップキー１０２ｆの操作時における日時を意味している。この日時の情報は、時計回路１０１ｅで発生されている。
【００４３】
次に、ステップＳＴ４で、修正モードか否かを判定する。上述せずも、ユーザは、操作部１０２の所定のキーを操作することで、修正モードの設定および解除を行うことができる。修正モードでないときは、ステップＳＴ５で、不揮発性メモリ１０１ｄのスキップ時間テーブル１０１ｓに、ステップＳＴ３で取得された録画チャネルおよび録画日時の情報で示される放送チャネル、放送曜日および放送時刻に対応したスキップ時間が記憶されているか否かを判定する。スキップ時間が記憶されているときは、ステップＳＴ６で、ＨＤＤ１０７の動作を制御し、当該スキップ時間だけ記録をスキップ（停止）する。そして、その後に、ステップＳＴ１に戻る。
【００４４】
ステップＳＴ５で、スキップ時間が記憶されていないときは、ステップＳＴ７に進む。上述したステップＳＴ４で、修正モードであるときは、直ちに、ステップＳＴ７に進む。このステップＳＴ７では、スキップキー１０２ｆの押し回数（操作回数）をカウントする押し回数カウンタのカウント値をインクリメントする。そして、ステップＳＴ８で、一定時間だけ記録をスキップする。ここで、一定時間は、スキップキー１０２ｆの一操作に対応したスキップ時間とされる。例えば、コマーシャルの期間が原則として３０秒単位であることから、この一定時間は３０秒とされる。
【００４５】
次に、ステップＳＴ９で、ステップＳＴ８で一定時間だけ記録をスキップした後、所定時間内、例えば１０秒内にスキップキー１０２ｆの再操作があったか否かを判定する。所定時間内にスキップキー１０２ｆの再操作があったときは、ステップＳＴ７に戻り、押し回数カウンタのカウント値をインクリメントし、再び記録を一定時間だけスキップする。
【００４６】
ステップＳＴ９で、所定時間内にスキップキー１０２ｆの再操作がなかったときは、ステップＳＴ１０で、スキップ時間を算出する。この場合、スキップ時間Ｔskは、上述の一定時間をＴとし、また上述の押し回数カウンタのカウント値で示されるスキップキー１０２ｆの操作回数をＮとするとき、Ｔsk＝Ｎ×Ｔの式で求められる。
【００４７】
次に、ステップＳＴ１１で、スキップ時間テーブル１０１ｓに、ステップＳＴ３で取得された録画チャネルおよび録画日時の情報で示される放送チャネル、放送曜日および放送時刻に対応したスキップ時間として、ステップＳＴ１０で算出されたスキップ時間Ｔskを記憶する。この場合、既にスキップ時間が記憶されているときは上書きをする。これにより、スキップ時間の修正が行われる。
【００４８】
次に、ステップＳＴ１２で、押し回数カウンタのカウント値を０にリセットする。その後に、ステップＳＴ１に戻る。
【００４９】
また、所定番組のコンテンツデータがＨＤＤ１０７から再生されている状態（再生状態）でスキップキー１０２ｆが操作されたときの、ＣＰＵ１０１ａの制御動作を、図４のフローチャートを用いて説明する。
【００５０】
ステップＳＴ２１の再生状態にあるとき、ステップＳＴ２２で、スキップキー１０２ｆが操作されたか否かを判定する。スキップキー１０２ｆが操作されたときは、ステップＳＴ２３で、スキップキー１０２ｆの操作時における、録画チャネルおよび録画日時の情報を取得する。ここで、録画チャネルはスキップキー１０２ｆの操作時に再生されている所定番組のコンテンツデータに係る放送チャネルを意味し、録画日時はスキップキー１０２ｆの操作時に再生されている所定番組のコンテンツデータが記録された日時を意味している。この日時の情報は、ＨＤＤ１０７から当該所定番組のコンテンツデータが再生される際に、このＨＤＤ１０７から出力される。
【００５１】
次に、ステップＳＴ２４で、修正モードか否かを判定する。修正モードでないときは、ステップＳＴ２５で、不揮発性メモリ１０１ｄのスキップ時間テーブル１０１ｓに、ステップＳＴ２３で取得された録画チャネルおよび録画日時の情報で示される放送チャネル、放送曜日および放送時刻に対応したスキップ時間が記憶されているか否かを判定する。スキップ時間が記憶されているときは、ステップＳＴ２６で、ＨＤＤ１０７の動作を制御し、当該スキップ時間だけ再生位置をスキップする。そして、その後に、ステップＳＴ２１に戻る。
【００５２】
ステップＳＴ２５で、スキップ時間が記憶されていないときは、ステップＳＴ２７に進む。上述したステップＳＴ２４で、修正モードであるときは、直ちに、ステップＳＴ２７に進む。このステップＳＴ２７では、スキップキー１０２ｆの押し回数（操作回数）をカウントする押し回数カウンタのカウント値をインクリメントする。そして、ステップＳＴ２８で、一定時間だけ再生位置をスキップする。ここで、一定時間は、スキップキー１０２ｆの一操作に対応したスキップ時間とされる。例えば、コマーシャルの期間が原則として３０秒単位であることから、この一定時間は３０秒とされる。
【００５３】
次に、ステップＳＴ２９で、ステップＳＴ２８で一定時間だけ再生位置をスキップした後、所定時間内、例えば１０秒内にスキップキー１０２ｆの再操作があったか否かを判定する。所定時間内にスキップキー１０２ｆの再操作があったときは、ステップＳＴ２７に戻り、押し回数カウンタのカウント値をインクリメントし、再び再生位置を一定時間だけスキップする。
【００５４】
ステップＳＴ２９で、所定時間内にスキップキー１０２ｆの再操作がなかったときは、ステップＳＴ３０で、スキップ時間を算出する。この場合、スキップ時間Ｔskは、上述の一定時間をＴとし、また上述の押し回数カウンタのカウント値で示されるスキップキー１０２ｆの操作回数をＮとするとき、Ｔsk＝Ｎ×Ｔの式で求められる。
【００５５】
次に、ステップＳＴ３１で、スキップ時間テーブル１０１ｓに、ステップＳＴ２３で取得された録画チャネルおよび録画日時の情報で示される放送チャネル、放送曜日および放送時刻に対応したスキップ時間として、ステップＳＴ３０で算出されたスキップ時間Ｔskを記憶する。この場合、既にスキップ時間が記憶されているときは上書きをする。これにより、スキップ時間の修正が行われる。
【００５６】
次に、ステップＳＴ３２で、押し回数カウンタのカウント値を０にリセットする。その後に、ステップＳＴ２１に戻る。
【００５７】
図１に示す記録再生装置１００によれば、録画状態または再生状態でスキップキー１０２ｆが操作された場合、それぞれ、スキップ時間テーブル１０１ｓに記憶されているスキップ時間だけ記録または再生位置がスキップされるものであり、例えばスキップ時間テーブル１０１ｓに記憶されているスキップ時間を当該所定番組中のコマーシャル時間に対応させておけば、スキップキー１０２ｆの一操作のみで当該コマーシャルのスキップを精度よく行うことができる。これにより、記録時には、ＨＤＤ１０７における無駄な蓄積を減らすことができる。そして、この記録再生装置１００によれば、ブラックフレーム等を検出してスキップ時間を制御するものでなく、スキップ精度が検出精度に影響されるということがなく、しかもその検出部を必要としない分だけ安価に構成できる。
【００５８】
また、図１に示す記録再生装置１００によれば、スキップ時間テーブル１０１ｓに、所定番組の放送チャネル、放送曜日および放送時刻に対応したスキップ時間が記憶されていない場合、録画状態または再生状態でスキップキー１０２ｆが操作されることで、当該スキップ時間テーブル１０１ｓに、スキップキー１０２ｆの操作回数に応じたスキップ時間が書き込まれるものであり、スキップ時間テーブルを完成させていくことができる。
【００５９】
また、図１に示す記録再生装置１００によれば、録画状態または再生状態でスキップキー１０２ｆが操作されるとき、修正モードにあるときは、スキップ時間テーブル１０１ｓに、所定番組の放送チャネル、放送曜日および放送時刻に対応したスキップ時間が記憶されていても、スキップキー１０２ｆの操作回数に応じたスキップ時間が上書きされるものであり、スキップ時間の修正を行うことができる。
【００６０】
なお、上述実施の形態においては、再生状態で、スキップキー１０２ｆが操作されたとき再生位置がスキップされるものを示したが、このスキップキー１０２ｆの他に、早送りキー１０２ｃ、巻き戻しキー１０２ａが操作されたときも再生位置がスキップされる構成とすることもできる。
【００６１】
図５は、その場合における、ＣＰＵ１０１ａの制御動作を示している。
【００６２】
ステップＳＴ４１の再生状態にあるとき、ステップＳＴ４２で、スキップキー１０２ｆ、早送りキー１０２ｃ、巻き戻しキー１０２ａのいずれかが操作されたか否かを判定する。キー操作があるときは、ステップＳＴ４３で、キー操作時における、録画チャネルおよび録画日時の情報を取得する。ここで、録画チャネルはキー操作時に再生されている所定番組のコンテンツデータに係る放送チャネルを意味し、録画日時はキー操作時に再生されている所定番組のコンテンツデータが記録された日時を意味している。この日時の情報は、ＨＤＤ１０７から当該所定番組のコンテンツデータが再生される際に、このＨＤＤ１０７から出力される。
【００６３】
次に、ステップＳＴ４４で、修正モードか否かを判定する。修正モードでないときは、ステップＳＴ４５で、不揮発性メモリ１０１ｄのスキップ時間テーブル１０１ｓに、ステップＳＴ４３で取得された録画チャネルおよび録画日時の情報で示される放送チャネル、放送曜日および放送時刻に対応したスキップ時間が記憶されているか否かを判定する。スキップ時間が記憶されているときは、ステップＳＴ４６で、ＨＤＤ１０７の動作を制御し、当該スキップ時間だけ再生位置をスキップする。そして、その後に、ステップＳＴ４１に戻る。
【００６４】
ステップＳＴ４５で、スキップ時間が記憶されていないときは、ステップＳＴ４７に進む。上述したステップＳＴ４４で、修正モードであるときは、直ちに、ステップＳＴ４７に進む。このステップＳＴ４７では、キー操作が開始された時の再生位置を示す開始時刻を保持する。この開始時刻は、上述したように、ＨＤＤ１０７から、所定番組のコンテンツデータの再生に伴って出力される録画日時の情報から取得される。
【００６５】
次に、ステップＳＴ４８で、各キーの操作に対応させて再生位置を変化させる。この場合、スキップキー１０２ｆが操作されるときは、一定時間だけ再生位置をスキップする。また、早送りキー１０２ｃが操作されるときは、当該早送りキー１０２ｃが押圧操作されている間だけ再生位置を早送りする。さらに、巻き戻しキー１０２ａが操作されるときは、当該巻き戻しキー１０２ａが押圧操作されている間だけ再生位置を巻き戻す。
【００６６】
次に、ステップＳＴ４９で、各キーの操作による再生位置の変化が終了したときの再生位置を示す終了時刻を保持する。この終了時刻も、上述したように、ＨＤＤ１０７から、所定番組のコンテンツデータの再生に伴って出力される録画日時の情報から取得される。そして、ステップＳＴ５０で、各キーの操作による再生位置の変化が終了した後、所定時間内、例えば１０秒内に、スキップキー１０２ｆ、早送りキー１０２ｃ、巻き戻しキー１０２ａのいずれかが操作されたか否かを判定する。所定時間内にキー操作があったときは、ステップＳＴ４８に戻り、各キーの操作に対応させて再生位置を変化させる。
【００６７】
ステップＳＴ５０で、所定時間内にキー操作がなかったときは、ステップＳＴ５１に進む。このステップＳＴ５１では、スキップ時間を算出する。この場合、スキップ時間Ｔskは、ステップ４９で最終的に保持された終了時刻から、ステップ４７で保持された開始時刻を減算することで得られる。
【００６８】
次に、ステップＳＴ５２で、スキップ時間テーブル１０１ｓに、ステップＳＴ４３で取得された録画チャネルおよび録画日時の情報で示される放送チャネル、放送曜日および放送時刻に対応したスキップ時間として、ステップＳＴ５１で算出されたスキップ時間Ｔskを記憶する。この場合、既にスキップ時間が記憶されているときは上書きをすることで、スキップ時間の修正が行われる。このステップＳＴ５２の後に、ステップＳＴ４１に戻る。
【００６９】
この場合、スキップキー１０２ｆ、早送りキー１０２ｃ、巻き戻しキー１０２ａのいずれかが操作された場合、スキップ時間テーブル１０１ｓに記憶されているスキップ時間分だけ再生位置がスキップされるものであり、例えばスキップ時間テーブル１０１ｓに記憶されているスキップ時間を当該所定番組中のコマーシャル時間に対応させておけば、スキップキー１０２ｆ、早送りキー１０２ｃ、巻き戻しキー１０２ａのいずれかの一操作のみで当該コマーシャルのスキップを精度よく行うことができる。またこの場合も、ブラックフレーム等を検出してスキップ時間を制御するものでなく、スキップ精度が検出精度に影響されるということがなく、しかもその検出部を必要としない分だけ安価に構成できる。
【００７０】
またこの場合、スキップ時間テーブル１０１ｓに、当該所定番組の放送チャネル、放送曜日および放送時刻に対応したスキップ時間が記憶されていない場合、スキップ時間テーブルに、スキップ時間として、キー操作が開始された際の再生位置から各キーの操作により最終的に変化した後の再生位置までの時間が書き込まれるものであり、スキップ時間テーブルを完成させていくことができる。
【００７１】
そしてこの場合、早送りキー１０２ｃおよび巻き戻しキー１０２ａを操作することで、スキップキー１０２ｆだけを用いる場合に比べて、スキップ時間テーブル１０１ｓに書き込むスキップ時間を細かく設定できる。例えば、１０秒、１５秒といった原則（３０秒単位）から外れたコマーシャルに対応したスキップ時間をも簡単に設定できる。また、コマーシャル終了後の、コマーシャル開始前の番組本編の繰り返し部分をもスキップさせるような、任意のスキップ時間を容易に設定できる。
【００７２】
またこの場合、録画状態または再生状態でスキップキー１０２ｆ、早送りキー１０２ｃ、巻き戻しキー１０２ａが操作されるとき、修正モードにあるときは、スキップ時間テーブル１０１ｓに、所定番組の放送チャネル、放送曜日および放送時刻に対応したスキップ時間が記憶されていても、キー操作が開始された際の再生位置から各キーの操作により最終的に変化した後の再生位置までの時間が書き込まれるものであり、スキップ時間の修正を行うことができる。
【００７３】
また、上述実施の形態においては、録画状態または再生状態で、ユーザがスキップキー１０２ｆ等を操作することで、不揮発性メモリ１０１ｄにおけるスキップ時間テーブル１０１ｓに、スキップ時間データを書き込んでいき、スキップ時間テーブル１０１ｓを完成させていくものを示した。しかし、このスキップ時間テーブル１０１ｓのデータを、例えばチューナ１０５で受信される放送信号から抽出する構成、あるいはディスク状記録媒体あるいはメモリカード等のドライブが制御部１０１に接続可能とされ、これらディスク状記録媒体あるいはメモリカード等からスキップ時間テーブル１０１ｓのデータを取得する構成等とすることもできる。これにより、ユーザは、スキップ時間テーブル１０１ｓにスキップ時間を書き込むための煩わしい操作をすることなく、番組改編時にスキップ時間テーブル１０１ｓを容易に更新でき、新番組などに良好に対応したスキップ操作が可能となる。
【００７４】
また、上述実施の形態においては、番組のコンテンツデータはテレビ放送によるものであるが、この発明は、例えばラジオ放送の番組のコンテンツデータを取り扱う記録再生装置にも同様に適用できる。また、記録媒体も、ハードディスクに限られるものではなく、テープ状記録媒体、半導体メモリ等であってもよい。
【産業上の利用可能性】
【００７５】
この発明は、例えばコマーシャルのスキップを安価かつ良好に行い得るものであり、例えばテレビ番組のコンテンツデータを記録再生するハードディスクレコーダ、ビデオカセットレコーダ等に適用できる。
【図面の簡単な説明】
【００７６】
【図１】実施の形態としての記録再生装置の構成を示すブロック図である。
【図２】スキップ時間テーブルの一例を示す図である。
【図３】録画状態でスキップキーが操作されたときの動作を示すフローチャートである。
【図４】再生状態でスキップキーが操作されたときの動作を示すフローチャートである。
【図５】再生状態でスキップ、早送り、巻き戻しのキーが操作されたときの動作を示すフローチャートである。
【符号の説明】
【００７７】
１００・・・記録再生装置、１０１・・・制御部、１０１ａ・・・ＣＰＵ、１０１ｓ・・・スキップ時間テーブル、１０２・・・操作部、１０２ａ・・・巻き戻しキー、１０２ｃ・・・早送りキー、１０２ｆ・・・スキップキー、１０３・・・表示部、１０４・・・受信アンテナ、１０５・・・チューナ、１０６・・・信号処理部、１０７・・・ＨＤＤ、１０８・・・テレビモニタ
【図１】
2006319790.tif 000003
【図２】
2006319790.tif 000004
【図３】
2006319790.tif 000005
【図４】
2006319790.tif 000006
【図５】
2006319790.tif 000007